(57)【要約】【課題】第一挟み部と第二挟み部とで記録媒体を挟むタイミングを早める。【解決手段】搬送装置は、第一挟み部と、第一挟み部とで記録媒体を挟む挟み領域を形成し、第一挟み部に対する距離が挟み領域を形成する距離となる第一位置と、第一挟み部に対する距離が第一位置における距離よりも長い第二位置と、の間を相対移動可能な第二挟み部と、記録媒体の前端側を保持する保持部を有し、保持部を移動させて記録媒体を搬送し、保持部で記録媒体を保持したまま記録媒体及び保持部を挟み領域を通過させる搬送部と、保持部による記録媒体の保持位置が挟み領域に進入する前に第二挟み部を第一位置から第二位置への相対移動が開始させてから、保持位置が挟み領域に進入した後に第一位置へ相対移動させるまでの期間の中央点が、保持位置が挟み領域を通過する期間の中央点に対して先行するように、第二挟み部を相対移動させる移動機構と、を備える。【選択図】図１４
2020148962.tif 000002
【特許請求の範囲】
【請求項１】
第一挟み部と、
外面が前記第一挟み部の外面に接触することで前記第一挟み部とで記録媒体を挟む挟み領域を形成し、前記第一挟み部に対する距離が前記挟み領域を形成する距離となる第一位置と、前記第一挟み部に対する距離が該第一位置における距離よりも長い第二位置と、の間を相対移動可能な第二挟み部と、
記録媒体の前端側を保持する保持部を有し、該保持部を移動させて該記録媒体を搬送し、該保持部で記録媒体を保持したまま該記録媒体及び該保持部を前記挟み領域を通過させる搬送部と、
前記保持部による前記記録媒体の保持位置が前記挟み領域に進入する前に前記第二挟み部を前記第一位置から前記第二位置への相対移動が開始させてから、前記保持位置が前記挟み領域に進入した後に前記第一位置へ相対移動させるまでの期間の中央点が、前記保持位置が前記挟み領域を通過する期間の中央点に対して先行するように、前記第二挟み部を相対移動させる移動機構と、
を備える搬送装置。
【請求項２】
前記移動機構は、前記保持位置が前記挟み領域から退出する前に、前記第一位置へ相対移動させる
請求項１に記載の搬送装置。
【請求項３】
第一挟み部と、
外面が前記第一挟み部の外面に接触することで前記第一挟み部とで記録媒体を挟む挟み領域を形成し、前記第一挟み部に対する距離が前記挟み領域を形成する距離となる第一位置と、前記第一挟み部に対する距離が該第一位置における距離よりも長い第二位置と、の間を相対移動可能な第二挟み部と、
記録媒体の前端側を保持する保持部を有し、該保持部を移動させて該記録媒体を搬送し、該保持部で記録媒体を保持したまま該記録媒体及び該保持部を前記挟み領域を通過させる搬送部と、
前記保持部が前記挟み領域に進入する前に前記第二挟み部を前記第一位置から前記第二位置への相対移動が開始させてから、前記保持部が前記挟み領域に進入した後に前記第一位置へ相対移動させるまでの期間の中央点が、前記保持部が前記挟み領域を通過する期間の中央点に対して先行するように、前記第二挟み部を相対移動させる移動機構と、
を備える搬送装置。
【請求項４】
前記移動機構は、前記保持部が前記挟み領域から退出する前に、前記第一位置へ相対移動させる
請求項３に記載の搬送装置。
【請求項５】
回転し、外面の一部に凹部を有する第一挟み部と、
外面が前記第一挟み部の外面に接触することで前記第一挟み部とで記録媒体を挟む挟み領域を形成し、前記第一挟み部に対する距離が前記挟み領域を形成する距離となる第一位置と、前記第一挟み部に対する距離が該第一位置における距離よりも長い第二位置と、の間を相対移動可能な第二挟み部と、
記録媒体の前端側を保持する保持部を有し、該保持部を前記凹部に収容した状態で前記第一挟み部の回転方向へ移動させて該記録媒体を搬送し、該保持部で記録媒体を保持したまま該記録媒体及び該保持部を前記挟み領域を通過させる搬送部と、
前記凹部が前記挟み領域に進入する前に前記第二挟み部を前記第一位置から前記第二位置への相対移動が開始させてから、前記凹部が前記挟み領域に進入した後に前記第一位置へ相対移動させるまでの期間の中央点が、前記凹部が前記挟み領域を通過する期間の中央点に対して先行するように、前記第二挟み部を相対移動させる移動機構と、
を備える搬送装置。
【請求項６】
前記移動機構は、前記凹部が前記挟み領域から退出する前に、前記第一位置へ前記第二挟み部を相対移動させる
請求項５に記載の搬送装置。
【請求項７】
前記移動機構は、前記挟み領域に位置する前記保持部に対して非接触である前記第一位置へ前記第二挟み部を相対移動させる
請求項２、４、６のいずれか１項に記載の搬送装置。
【請求項８】
前記第二挟み部は、
前記挟み領域に対する搬送方向の一方側を支点に前記第一位置と前記第二位置との間を相対移動可能とされ、
前記移動機構は、
前記第二挟み部の前記挟み領域に対する搬送方向の他方側に設けられたカムフォロアと、
前記第一挟み部に設けられ、前記カムフォロアに接触し前記第一挟み部の回転に伴って前記第二挟み部を相対移動させるカムと、
を有する
請求項１〜７のいずれか１項に記載の搬送装置。
【請求項９】
前記挟み領域に対する搬送方向の上流側に前記支点が配置され、
前記カムフォロアは、前記第二挟み部の前記挟み領域に対する搬送方向の下流側に設けられている
請求項８に記載の搬送装置。
【請求項１０】
前記移動機構は、
単位時間あたりの前記第一位置から前記第二位置への相対移動量よりも、単位時間あたりの前記第二位置から前記第一位置への相対移動量が小さい
請求項１〜９のいずれか１項に記載の搬送装置としての定着装置。
【請求項１１】
前記第一挟み部は、加圧ロールであり、
前記第二挟み部は、加熱ロールである
請求項１〜１０のいずれか１項に記載の搬送装置としての定着装置。
【請求項１２】
記録媒体に画像を転写する転写部と、
前記記録媒体に転写された画像を該記録媒体に定着する請求項１１に記載の定着装置と、
を備える画像形成装置。
【発明の詳細な説明】
【技術分野】
【０００１】
本発明は、搬送装置、定着装置、及び画像形成装置に関する。
【背景技術】
【０００２】
特許文献１には、対となって配置された第１定着ロールと第２定着ロールからなり、少なくとも一方が加熱ロールであり、かつ、少なくとも一方の定着ロールの表層が交換可能である定着ロール対と、貼着部材を備える貼着手段と、記録媒体および前記貼着手段の少なくとも一方を帯電させる帯電手段と、記録媒体の搬送方向先端部を把持部によって貼着手段に物理的に固定する固定手段とを有し、帯電手段により、貼着部材と記録媒体とを静電吸着させ、かつ固定手段により、記録媒体を貼着手段に固定させた後に、定着ロール対によって、貼着手段とともに挟持して搬送することにより、画像を定着させる定着装置が開示されている。
【先行技術文献】
【特許文献】
【０００３】
【特許文献１】特開２００６−２５９２２３号公報
【発明の概要】
【発明が解決しようとする課題】
【０００４】
定着装置等の搬送装置としては、加熱ロール等の第一挟み部と、第一挟み部とで記録媒体を挟む挟み領域を形成し、第一挟み部に対する距離が挟み領域を形成する距離となる第一位置と、第一挟み部に対する距離が該第一位置における距離よりも長い第二位置と、の間を相対移動可能な加圧ロール等の第二挟み部と、記録媒体の前端側を保持する保持部を移動させて該記録媒体を搬送し、保持部を挟み領域を通過させる搬送部と、を有する構成が考えられる。
【０００５】
当該構成において、第二挟み部を第一位置から第二位置への相対移動を開始してから第一位置へ相対移動させるまでの期間の中央点が、保持部による記録媒体の保持位置が挟み領域を通過する期間の中央点と一致する場合では、第一挟み部と第二挟み部とで記録媒体を挟むタイミングが遅くなる。
【０００６】
本発明は、第二挟み部を第一位置から第二位置への相対移動を開始してから第一位置へ相対移動させるまでの期間の中央点が、保持位置が挟み領域を通過する期間の中央点と一致する構成に比べ、第一挟み部と第二挟み部とで記録媒体を挟むタイミングを早めることを目的とする。
【課題を解決するための手段】
【０００７】
第１態様は、第一挟み部と、外面が前記第一挟み部の外面に接触することで前記第一挟み部とで記録媒体を挟む挟み領域を形成し、前記第一挟み部に対する距離が前記挟み領域を形成する距離となる第一位置と、前記第一挟み部に対する距離が該第一位置における距離よりも長い第二位置と、の間を相対移動可能な第二挟み部と、記録媒体の前端側を保持する保持部を有し、該保持部を移動させて該記録媒体を搬送し、該保持部で記録媒体を保持したまま該記録媒体及び該保持部を前記挟み領域を通過させる搬送部と、前記保持部による前記記録媒体の保持位置が前記挟み領域に進入する前に前記第二挟み部を前記第一位置から前記第二位置への相対移動が開始させてから、前記保持位置が前記挟み領域に進入した後に前記第一位置へ相対移動させるまでの期間の中央点が、前記保持位置が前記挟み領域を通過する期間の中央点に対して先行するように、前記第二挟み部を相対移動させる移動機構と、を備える。
【０００８】
第２態様では、前記移動機構は、前記保持位置が前記挟み領域から退出する前に、前記第一位置へ相対移動させる。
【０００９】
第３態様は、第一挟み部と、外面が前記第一挟み部の外面に接触することで前記第一挟み部とで記録媒体を挟む挟み領域を形成し、前記第一挟み部に対する距離が前記挟み領域を形成する距離となる第一位置と、前記第一挟み部に対する距離が該第一位置における距離よりも長い第二位置と、の間を相対移動可能な第二挟み部と、記録媒体の前端側を保持する保持部を有し、該保持部を移動させて該記録媒体を搬送し、該保持部で記録媒体を保持したまま該記録媒体及び該保持部を前記挟み領域を通過させる搬送部と、前記保持部が前記挟み領域に進入する前に前記第二挟み部を前記第一位置から前記第二位置への相対移動が開始させてから、前記保持部が前記挟み領域に進入した後に前記第一位置へ相対移動させるまでの期間の中央点が、前記保持部が前記挟み領域を通過する期間の中央点に対して先行するように、前記第二挟み部を相対移動させる移動機構と、を備える。
【００１０】
第４態様では、前記移動機構は、前記保持部が前記挟み領域から退出する前に、前記第一位置へ相対移動させる。
【００１１】
第５態様は、回転し、外面の一部に凹部を有する第一挟み部と、外面が前記第一挟み部の外面に接触することで前記第一挟み部とで記録媒体を挟む挟み領域を形成し、前記第一挟み部に対する距離が前記挟み領域を形成する距離となる第一位置と、前記第一挟み部に対する距離が該第一位置における距離よりも長い第二位置と、の間を相対移動可能な第二挟み部と、記録媒体の前端側を保持する保持部を有し、該保持部を前記凹部に収容した状態で前記第一挟み部の回転方向へ移動させて該記録媒体を搬送し、該保持部で記録媒体を保持したまま該記録媒体及び該保持部を前記挟み領域を通過させる搬送部と、前記凹部が前記挟み領域に進入する前に前記第二挟み部を前記第一位置から前記第二位置への相対移動が開始させてから、前記凹部が前記挟み領域に進入した後に前記第一位置へ相対移動させるまでの期間の中央点が、前記凹部が前記挟み領域を通過する期間の中央点に対して先行するように、前記第二挟み部を相対移動させる移動機構と、を備える。
【００１２】
第６態様では、前記移動機構は、前記凹部が前記挟み領域から退出する前に、前記第一位置へ前記第二挟み部を相対移動させる。
【００１３】
第７態様では、前記移動機構は、前記挟み領域に位置する前記保持部に対して非接触である前記第一位置へ前記第二挟み部を相対移動させる。
【００１４】
第８態様では、前記第二挟み部は、前記挟み領域に対する搬送方向の一方側を支点に前記第一位置と前記第二位置との間を相対移動可能とされ、前記移動機構は、前記第二挟み部の前記挟み領域に対する搬送方向の他方側に設けられたカムフォロアと、前記第一挟み部に設けられ、前記カムフォロアに接触し前記第一挟み部の回転に伴って前記第二挟み部を相対移動させるカムと、を有する。
【００１５】
第９態様では、前記挟み領域に対する搬送方向の上流側に前記支点が配置され、前記カムフォロアは、前記第二挟み部の前記挟み領域に対する搬送方向の下流側に設けられている。
【００１６】
第１０態様では、前記移動機構は、単位時間あたりの前記第一位置から前記第二位置への相対移動量よりも、単位時間あたりの前記第二位置から前記第一位置への相対移動量が小さい。
【００１７】
第１１態様は、前記第一挟み部が、加圧ロールであり、前記第二挟み部が、加熱ロールである搬送装置としての定着装置である。
【００１８】
第１２態様は、記録媒体に画像を転写する転写部と、前記記録媒体に転写された画像を該記録媒体に定着する第１１態様に記載の定着装置と、を備える。
【発明の効果】
【００１９】
第１態様の構成によれば、第二挟み部を第一位置から第二位置への相対移動を開始してから第一位置へ相対移動させるまでの期間の中央点が、保持位置が挟み領域を通過する期間の中央点と一致する構成に比べ、第一挟み部と第二挟み部とで記録媒体を挟むタイミングを早めることができる。
【００２０】
第２態様の構成によれば、移動機構が、保持位置が挟み領域から退出した後に、第一位置へ相対移動させる構成に比べ、第一挟み部と第二挟み部とで記録媒体を挟む範囲が広くなる。
【００２１】
第３態様の構成によれば、第二挟み部を第一位置から第二位置への相対移動を開始してから第一位置へ相対移動させるまでの期間の中央点が、保持部が挟み領域を通過する期間の中央点と一致する構成に比べ、第一挟み部と第二挟み部とで記録媒体を挟むタイミングを早めることができる。
【００２２】
第４態様の構成によれば、移動機構が、保持部が挟み領域から退出した後に、第一位置へ相対移動させる構成に比べ、第一挟み部と第二挟み部とで記録媒体を挟む範囲が広くなる。
【００２３】
第５態様の構成によれば、第二挟み部を第一位置から第二位置への相対移動を開始して第一位置へ相対移動させるまでの期間の中央点が、凹部が挟み領域を通過する期間の中央点と一致する構成に比べ、第一挟み部と第二挟み部とで記録媒体を挟むタイミングを早めることができる。
【００２４】
第６態様の構成によれば、移動機構が、凹部が挟み領域から退出した後に、第一位置へ相対移動させる構成に比べ、第一挟み部と第二挟み部とで記録媒体を挟む範囲が広くなる。
【００２５】
第７態様の構成によれば、移動機構は、挟み領域に位置する保持部に接触する第一位置へ相対移動させる構成に比べ、第二挟み部と保持部との干渉が抑制される。
【００２６】
第８態様の構成によれば、支点とカムフォロアとが挟み領域に対する搬送方向の一方側に配置された構成に比べ、小さい荷重で第二挟み部を移動させることができる。
【００２７】
第９態様の構成によれば、カムフォロアが第二挟み部の挟み領域に対する搬送方向の上流側に設けられている構成に比べ、カムフォロアが、第二挟み部の挟み領域に対する搬送方向の上流側に配置された部材と干渉することが抑制される。
【００２８】
第１０態様の構成によれば、移動機構における単位時間当たりの第一位置から第二位置への相対移動量よりも、移動機構における単位時間当たりの第二位置から第一位置への相対移動量が大きい構成に比べ、第二挟み部を第一挟み部から素早く離間させ、第二挟み部を第一挟み部へゆっくり接近させることができる。
【００２９】
第１１態様の構成によれば、第二挟み部を第一位置から第二位置への相対移動を開始してから第一位置へ相対移動させるまでの期間の中央点が、保持位置が挟み領域を通過する期間の中央点と一致する構成に比べ、画像を記録媒体に定着可能な範囲を広くできる。
【００３０】
第１２態様の構成によれば、第二挟み部を第一位置から第二位置への相対移動を開始してから第一位置へ相対移動させるまでの期間の中央点が、保持位置が挟み領域を通過する期間の中央点と一致する構成に比べ、画像を記録媒体に形成可能な範囲を広くできる。
【図面の簡単な説明】
【００３１】
【図１】本実施形態に係る画像形成装置を示す概略図である。
【図２】本実施形態に係る二次転写体を示す斜視図である。
【図３】本実施形態に係る画像形成装置の二次転写部分を拡大して示す側面図である。
【図４】本実施形態に係る定着装置の一部を示す正面図である。
【図５】本実施形態に係る定着装置の一部を示す側面図である。
【図６】本実施形態に係る定着装置の一部を示す斜視図である。
【図７】図４に示される定着装置において、加熱ロールが退避位置に位置する状態を示す正面図である。
【図８】本実施形態に係るグリッパを示す斜視図である。
【図９】本実施形態に係る加熱ロールと加圧ロールとの位置関係を模式的に示す正面図である。
【図１０】本実施形態に係る加熱ロールと加圧ロールとの位置関係を模式的に示す正面図である。
【図１１】本実施形態に係る加熱ロールと加圧ロールとの位置関係を模式的に示す正面図である。
【図１２】本実施形態に係る加熱ロールと加圧ロールとの位置関係を模式的に示す正面図である。
【図１３】本実施形態に係るカムを示す図である。
【図１４】時間経過（横軸）と、加熱ロールと加圧ロールとの位置関係（縦軸）と、の関係を示す図である。
【図１５】変形例に係る加熱ロールと加圧ロールとの位置関係を模式的に示す正面図である。
【発明を実施するための形態】
【００３２】
以下に、本発明に係る実施形態の一例を図面に基づき説明する。
【００３３】
（画像形成装置１０）
本実施形態に係る画像形成装置１０の構成を説明する。図１は、本実施形態に係る画像形成装置１０の構成を示す概略図である。
【００３４】
図１に示される画像形成装置１０は、記録媒体に画像を形成する画像形成装置の一例である。具体的には、画像形成装置１０は、記録媒体Ｐにトナー像（画像の一例）を形成する電子写真式の画像形成装置である。さらに具体的には、画像形成装置１０は、画像形成部１４と、定着装置１６と、を備えている。以下、画像形成装置１０の各部（画像形成部１４、及び定着装置１６）について説明する。
【００３５】
（画像形成部１４）
画像形成部１４は、トナー像を記録媒体Ｐに形成する機能を有している。具体的には、画像形成部１４は、トナー像形成部２２と、転写装置１７と、を有している。
【００３６】
（トナー像形成部２２）
図１に示されるトナー像形成部２２は、トナー像を形成する機能を有している。このトナー像形成部２２は、色ごとにトナー像を形成するように複数備えられている。本実施形態では、イエロー（Ｙ）、マゼンタ（Ｍ）、シアン（Ｃ）、ブラック（Ｋ）の計４色のトナー像形成部２２が設けられている。図１に示す（Ｙ）、（Ｍ）、（Ｃ）、（Ｋ）は、上記各色に対応する構成部分を示している。
【００３７】
なお、各色のトナー像形成部２２は、用いるトナーを除き同様に構成されているので、各色のトナー像形成部２２を代表して、図１ではトナー像形成部２２（Ｙ）の各部に符号を付している。
【００３８】
各色のトナー像形成部２２は、具体的には、一方向（例えば、図１における反時計回り方向）に回転する感光体ドラム３２（感光体）を有している。さらに、各色のトナー像形成部２２は、帯電器２３と、露光装置３６と、現像装置３８と、除去装置４０と、を有している。
【００３９】
各色のトナー像形成部２２では、帯電器２３が、感光体ドラム３２を帯電させる。さらに、露光装置３６が、帯電器２３によって帯電された感光体ドラム３２を露光して、感光体ドラム３２に静電潜像を形成する。また、現像装置３８が、露光装置３６によって感光体ドラム３２に形成された静電潜像を現像してトナー像を形成する。そして、除去装置４０が、後述の転写ベルト２４へのトナー像の転写後に感光体ドラム３２に残留したトナーを除去する。
【００４０】
（転写装置１７）
図１に示される転写装置１７は、トナー像形成部２２で形成されたトナー像を記録媒体Ｐに転写する装置である。具体的には、転写装置１７は、各色の感光体ドラム３２のトナー像を、中間転写体としての転写ベルト２４に重ねて一次転写し、該重ねられたトナー像を二次転写位置Ｔ２（後述の転写ニップ領域２８Ａ）で記録媒体Ｐに二次転写する。さらに具体的には、転写装置１７は、図１に示されるように、転写ベルト２４と、一次転写ロール２６と、二次転写体２７と、帯電器６０と、を備えている。
【００４１】
（一次転写ロール２６）
図１に示される一次転写ロール２６は、各色の感光体ドラム３２のトナー像を、感光体ドラム３２と一次転写ロール２６との間の一次転写位置Ｔ１にて転写ベルト２４に転写させるロールである。本実施形態では、一次転写ロール２６と感光体ドラム３２との間に一次転写電界が印加されることで、感光体ドラム３２に形成されたトナー像が、一次転写位置Ｔ１にて転写ベルト２４に転写される。
【００４２】
（転写ベルト２４）
図１に示される転写ベルト２４は、各色の感光体ドラム３２からトナー画像が外周面に転写される。具体的には、転写ベルト２４は、以下のように構成されている。転写ベルト２４は、図１に示されるように、環状を成している。さらに、転写ベルト２４は、駆動ロール４２Ｄ、巻掛ロール４２Ｅ、４２Ｆを含む複数のロール４２に巻き掛けられて姿勢が決められている。転写ベルト２４は、例えば、複数のロール４２のうち、駆動ロール４２Ｄが、駆動部（図示省略）によって回転駆動することで、予め定められた矢印Ａ方向（以下、ベルト周回方向Ａという）へ周回する。なお、巻掛ロール４２Ｅ、４２Ｆの具体的な構成については、後述する。
【００４３】
（二次転写体２７）
二次転写体２７は、記録媒体に画像を転写する転写部の一例である。二次転写体２７は、具体的には、図２に示されるように、転写胴２８と、一対のスプロケット２９と、を有している。転写胴２８は、図３に示されるように、転写ベルト２４の外周面とで記録媒体Ｐを挟む挟み領域としての転写ニップ領域２８Ａを有している。なお、図３では、記録媒体Ｐを簡略化し、一部を示している。
【００４４】
転写ニップ領域２８Ａは、転写ベルト２４が転写胴２８に巻き掛けられることで形成されている。転写ニップ領域２８Ａは、転写ベルト２４と転写胴２８とが接触する接触領域ともいえる。そして、転写ニップ領域２８Ａが、転写ベルト２４から記録媒体Ｐにトナー像が転写される二次転写位置Ｔ２とされている。また、転写胴２８は、転写ニップ領域２８Ａにおいて転写ベルト２４との間に記録媒体Ｐを挟んで搬送する。
【００４５】
一対のスプロケット２９は、図２に示されるように、転写胴２８の軸方向両端側に配置されている。換言すれば、一対のスプロケット２９の間に転写胴２８が設けられている。さらに、一対のスプロケット２９は、転写胴２８の同軸上に配置されており、転写胴２８と一体に回転する構成とされている。二次転写体２７は、駆動部（図示省略）によって回転駆動される。
【００４６】
さらに、転写胴２８の外周には、搬送部１５の後述のグリッパ５４及び取付部材５５が収容される１つの凹部２８Ｄが形成されている。なお、凹部２８Ｄは、後述のチェーン５２の周回方向Ｃに沿ったグリッパ５４の配置間隔に応じて、複数形成されていてもよい。
【００４７】
（帯電器６０）
帯電器６０は、図３に示されるように、転写ベルト２４の内側で転写胴２８に対向するように配置されている。具体的には、帯電器６０は、コロナ放電によりトナー画像を転写ベルト２４のトナー画像を転写する帯電器（いわゆるコロトロン型帯電器）である。
【００４８】
帯電器６０は、さらに具体的には、放電ワイヤ６０Ａと、ケース６２（筐体）と、を有している。放電ワイヤ６０Ａは、転写胴２８の軸方向に沿って長さを有する線状とされている。
【００４９】
ケース６２は、放電ワイヤを囲んでいる。具体的には、ケース６２は、箱状に形成されると共に、転写胴２８側（すなわち下方側）に開口部６２Ｃを有している。
【００５０】
具体的には、ケース６２は、放電ワイヤ６０Ａに対する転写胴２８とは反対側に配置された第一壁６２Ａと、放電ワイヤ６０Ａに対するベルト周回方向Ａの上流側及び下流側に配置された一対の第二壁６２Ｂと、を有している。さらに、ケース６２は、放電ワイヤ６０Ａの長さ方向両端側に配置された第三壁（図示省略）を有している。
【００５１】
帯電器６０では、放電ワイヤ６０Ａに電圧が印加されて放電することにより、記録媒体Ｐが転写ベルト２４及び転写胴２８に静電吸着される。また、帯電器６０では、放電ワイヤ６０Ａの放電により、転写ベルト２４を帯電させて、転写ベルト２４に重ねられたトナー像を転写ニップ領域２８Ａ（二次転写位置Ｔ２）にて転写ベルト２４から記録媒体Ｐへ転写する。
【００５２】
（巻掛ロール４２Ｅ、４２Ｆ）
図１及び図３に示される巻掛ロール４２Ｅ、４２Ｆは、転写ベルト２４の内側で転写ベルト２４が巻き掛けられた一対の巻掛ロールである。具体的には、巻掛ロール４２Ｅ、４２Ｆは、帯電器６０に対するベルト周回方向Ａの上流側及び下流側に配置されている。さらに、転写ベルト２４における巻掛ロール４２Ｅ、４２Ｆに巻き掛けた巻掛部分４３Ｅ、４３Ｆの両方は、転写胴２８から離間している。
【００５３】
（定着装置１６）
図１に示される定着装置１６は、転写胴２８によって記録媒体Ｐに転写されたトナー像を該記録媒体Ｐに定着する装置である。さらに具体的には、定着装置１６は、図１に示されるように、加圧部材としての加圧体６７と、加熱部材としての加熱ロール６８と、搬送部１５と、支持体７０（図４及び図５参照）と、移動機構８０（図４及び図５参照）と、を有している。
【００５４】
（加圧体６７）
加圧体６７は、図６に示されるように、加圧ロール６９と、一対のスプロケット１９と、を有している。加圧ロール６９は、第一挟み部の一例である。具体的には、加圧ロール６９は、加熱ロール６８との間に記録媒体Ｐを挟んで記録媒体Ｐを加圧する機能を有している。加圧ロール６９は、具体的には、図４、図５及び図６に示されるように、軸部６９Ａと、軸部６９Ａの外周に形成されたロール部６９Ｂと、を有している。
【００５５】
一対のスプロケット１９は、図６に示されるように、加圧ロール６９の軸方向両端側に配置されている。換言すれば、一対のスプロケット１９の間に加圧ロール６９が設けられている。さらに、一対のスプロケット１９は、加圧ロール６９の同軸上に配置されており、加圧ロール６９と一体に回転する構成とされている。
【００５６】
具体的には、一対のスプロケット１９は、図５に示されるように、加圧ロール６９のロール部６９Ｂの軸方向外側において、軸部６９Ａに固定されている。なお、軸方向外側とは、軸方向中央から軸方向両端へ向かう方向側をいう。また、図５では、一対のスプロケット１９のうち、一方のスプロケット１９のみを図示している。また、図４及び図７では、スプロケット１９の図示を省略している。
【００５７】
加圧ロール６９は、例えば、駆動部（図示省略）によって軸部６９Ａを通じて、図４及び図６に示される矢印Ｅ方向へ回転駆動される。さらに、加圧ロール６９の外周には、図６に示されるように、搬送部１５のグリッパ５４及び取付部材５５が収容される１つの凹部６９Ｄが形成されている。この凹部６９Ｄは、図４及び図６に示されるように、加圧ロール６９の径方向外側に開口している。凹部６９Ｄは、加圧ロール６９の回転方向下流端に角部６９Ｆ（以下、前端エッジ６９Ｆという）を有している。また、凹部６９Ｄは、加圧ロール６９の回転方向上流端に角部６９Ｒ（以下、後端エッジ６９Ｒという）を有している。
【００５８】
なお、凹部６９Ｄは、後述のチェーン５２の周回方向Ｃに沿ったグリッパ５４の配置間隔に応じて、複数形成されていてもよい。
【００５９】
（加熱ロール６８）
図４に示される加熱ロール６８は、第二挟み部の一例である。加熱ロール６８は、記録媒体Ｐを加熱する機能を有している。加熱ロール６８は、具体的には、図４、図５及び図６に示されるように、軸部６８Ａと、軸部６８Ａの外周に形成されたロール部６８Ｂと、を有している。
【００６０】
加熱ロール６８は、ロール部６８Ｂの外周面（外面の一例）が、加圧ロール６９のロール部６９Ｂの外周面（外面の一例）に接触することで、加圧ロール６９とで記録媒体Ｐを挟む定着ニップ領域６１（挟み領域の一例）を形成している。
【００６１】
（支持体７０）
図５に示される支持体７０は、加圧体６７及び加熱ロール６８を支持する機能を有している。具体的には、支持体７０は、図５に示されるように、第一フレーム７１と、一対の第二フレーム７２と、底壁７３と、を有している。なお、図５では、一対の第二フレーム７２のうち、一方の第二フレーム７２のみを図示している。
【００６２】
底壁７３は、加圧体６７に対する下側に配置されている。この底壁７３は、上下方向に厚みを有する板状に形成されている。
【００６３】
第一フレーム７１は、一対の側壁７１Ａと、連結壁７１Ｂと、を有している。一対の側壁７１Ａは、加熱ロール６８の軸方向両端側に配置されている。なお、図５では、一対の側壁７１Ａのうち、一方の側壁７１Ａのみを図示している。
【００６４】
側壁７１Ａは、図４に示されるように、加圧ロール６９に対する上側に配置されている。さらに、側壁７１Ａは、加熱ロール６８の軸方向視にて、定着ニップ領域６１に対する搬送方向の上流側に向かって、チェーン５２に沿って延び（図６参照）、定着ニップ領域６１に対する搬送方向の下流側に向かって加圧ロール６９の周方向に沿って延びている（図４参照）。
【００６５】
連結壁７１Ｂは、図５に示されるように、一対の側壁７１Ａの一方から他方へ加熱ロール６８の軸方向に沿って延びている。この連結壁７１Ｂは、一対の側壁７１Ａの上部同士を連結している。
【００６６】
一対の側壁７１Ａは、加熱ロール６８を回転可能に支持している。一対の側壁７１Ａの各々の外面７１Ｇには、後述のカムフォロア８２が設けられている。なお、側壁７１Ａの外面７１Ｇとは、一対の側壁７１Ａが対向する内面７１Ｎとは、反対側の面である。
【００６７】
一対の第二フレーム７２は、一対の側壁７１Ａの外側で、底壁７３から上方へ延びるように底壁７３に設けられている。一対の側壁７１Ａの外側とは、一対の側壁７１Ａが対向する側（図５の矢印ＴＡ）とは反対方向側である。換言すれば、一対の第二フレーム７２は、加圧体６７及び加熱ロール６８の軸方向両端側に配置されている。第二フレーム７２は、加圧ロール６９の軸方向に厚みを有する板状に形成されている。
【００６８】
さらに、一対の第二フレーム７２は、加圧ロール６９を回転可能に支持している。具体的には、一対の第二フレーム７２は、加圧ロール６９の軸部６９Ａを軸方向両端側で回転可能に支持している。さらに具体的には、一対の第二フレーム７２は、加圧ロール６９の軸部６９Ａを、ロール部６９Ｂの軸方向外側（具体的には、後述のカム８４の軸方向外側）で回転可能に支持している。
【００６９】
さらに、一対の第二フレーム７２は、回転軸７５を介して、回転軸７５の軸周りに回転可能に第一フレーム７１を支持している。回転軸７５は、図４に示されるように、定着ニップ領域６１に対する搬送方向の上流側に配置されている。なお、「定着ニップ領域６１に対する搬送方向上流側」は、「挟み領域に対する搬送方向の一方側」の一例である。
【００７０】
一対の第二フレーム７２は、具体的には、加熱ロール６８が、図４及び図９に示されるニップ位置（第一位置の一例）と図７及び図１０に示される退避位置（第二位置の一例）との間を移動可能に、第一フレーム７１を定着ニップ領域６１に対する搬送方向の上流側に支持している。
【００７１】
すなわち、加熱ロール６８は、定着ニップ領域６１に対する搬送方向の上流側を支点に、図４及び図９に示されるニップ位置と図７及び図１０に示される退避位置との間を移動可能とされている。ニップ位置は、加圧ロール６９に対する加熱ロール６８の距離が定着ニップ領域６１を形成する距離となる位置である。退避位置は、加圧ロール６９に対する加熱ロール６８の距離がニップ位置における距離よりも長い位置である。加圧ロール６９に対する加熱ロール６８の距離とは、具体的には、加圧ロール６９と加熱ロール６８との軸間距離である。
【００７２】
また、加熱ロール６８がニップ位置に位置するように、第一フレーム７１は、バネ等の弾性部材の弾性力により、押され又は引っ張られている。すなわち、加熱ロール６８は、ニップ位置へ向けて、押され又は引っ張られている。
【００７３】
そして、定着装置１６では、加熱ロール６８及び加圧ロール６９によって、記録媒体Ｐを加熱及び加圧することで、記録媒体Ｐに形成されたトナー像を該記録媒体Ｐに定着する。
【００７４】
（搬送部１５）
図１〜図３及び図６に示される搬送部１５は、記録媒体Ｐを搬送する機能を有している。具体的には、搬送部１５は、記録媒体Ｐを搬送して転写ニップ領域２８Ａ（図３参照）及び定着ニップ領域６１を通過させる機能を有している。
【００７５】
さらに具体的には、搬送部１５は、図１及び図２に示されるように、一対のチェーン５２と、グリッパ５４と、を有している。グリッパ５４は、記録媒体の前端側を保持する保持部の一例である。なお、図１及び図３では、チェーン５２及びグリッパ５４を簡略化して示している。
【００７６】
一対のチェーン５２は、図１に示されるように、環状に形成されている。この一対のチェーン５２は、図２及び図６に示されるように、装置奥行方向（図２のＤ方向）に間隔をおいて配置されている。この一対のチェーン５２は、それぞれ、二次転写体２７が有する一対のスプロケット２９（図２参照）と、加圧体６７が有する一対のスプロケット１９（図６参照）と、に巻き掛けられている。そして、一対のスプロケット２９を有する二次転写体２７、及び、一対のスプロケット１９を有する加圧体６７が回転することで、チェーン５２が周回方向Ｃ（図１、図２及び図６の矢印Ｃ方向）へ周回する構成とされている。
【００７７】
一対のチェーン５２には、図２及び図６に示されるように、グリッパ５４が取り付けられた取付部材５５が装置奥行方向に沿って掛け渡されている。取付部材５５は、チェーン５２の周方向（周回方向Ｃ）に沿って予め定められた間隔で複数が一対のチェーン５２に固定されている。
【００７８】
グリッパ５４は、図２及び図６に示されるように、装置奥行方向に沿って予め定められた間隔で複数が取付部材５５に取り付けられている。換言すれば、グリッパ５４は、取付部材５５を介して、チェーン５２に取り付けられている。このグリッパ５４は、記録媒体Ｐの前端部を保持する機能を有している。具体的には、グリッパ５４は、図８に示されるように、爪５４Ａと爪台５４Ｂとを有している。グリッパ５４では、爪５４Ａと爪台５４Ｂとの間に記録媒体Ｐの前端部を挟むことで記録媒体Ｐを保持する構成とされている。換言すれば、グリッパ５４は、記録媒体Ｐを厚み方向に挟持する挟持部の一例ともいえる。
【００７９】
さらに具体的には、グリッパ５４は、記録媒体Ｐの画像領域外において、記録媒体Ｐの前端部を保持する。記録媒体Ｐの画像領域とは、記録媒体Ｐにおいて、トナー像が転写される領域である。なお、グリッパ５４は、例えば、爪５４Ａが爪台５４Ｂに対してバネ等により押し付けられる共に、カム等の作用により爪５４Ａが爪台５４Ｂに対して開閉される。
【００８０】
そして、搬送部１５では、記録媒体Ｐが収容された収容部（図示省略）から送られた記録媒体Ｐの前端部を、図８に示されるように、グリッパ５４で保持する。さらに、搬送部１５では、グリッパ５４が記録媒体Ｐの前端部を保持した状態でチェーン５２が周回方向Ｃへ周回することで、グリッパ５４を移動させて記録媒体Ｐを搬送し、グリッパ５４で記録媒体Ｐを保持したまま、グリッパ５４と共に転写ニップ領域２８Ａを通過させる。
【００８１】
なお、チェーン５２がスプロケット２９に巻き掛けられた部分では、グリッパ５４は、転写胴２８の凹部２８Ｄに収容された状態で、転写胴２８と一体に転写胴２８の回転方向へ移動する。
【００８２】
さらに、搬送部１５では、記録媒体Ｐを、転写ニップ領域２８Ａを通過させた後、さらに、グリッパ５４で記録媒体Ｐを保持したまま、グリッパ５４と共に定着ニップ領域６１を通過させる。なお、チェーン５２がスプロケット１９に巻き掛けられた部分では、グリッパ５４は、加圧ロール６９の凹部６９Ｄに収容された状態で、加圧ロール６９と一体に加圧ロール６９の回転方向へ移動する。
【００８３】
（移動機構８０）
図４及び図５に示される移動機構８０は、加熱ロール６８を加圧ロール６９に対して相対移動させる移動機構の一例である。具体的には、移動機構８０は、加熱ロール６８を移動させる機構である。さらに具体的には、移動機構８０は、図４及び図５に示されるように、カムフォロア８２と、カム８４と、を有している。
【００８４】
カムフォロア８２は、第一フレーム７１における一対の側壁７１Ａの各々の外面７１Ｇに設けられている。具体的には、カムフォロア８２は、図５に示されるように、側壁７１Ａの外面７１Ｇから側壁７１Ａの外側へ突出する軸部８３の先端部に回転可能に支持されている。
【００８５】
さらに具体的には、カムフォロア８２は、定着ニップ領域６１に対する搬送方向の下流側に設けられている。なお、「定着ニップ領域６１に対する搬送方向下流側」は、「挟み領域に対する搬送方向の他方側」の一例である。カムフォロア８２は、加熱ロール６８に対して、加圧ロール６９の回転方向下流側に配置されているともいえる。すなわち、カムフォロア８２は、加熱ロール６８に対して、加圧ロール６９における予め定められた回転角度分、加圧ロール６９の回転方向下流側にずれている。
【００８６】
カムフォロア８２は、図４に示されるように、加熱ロール６８の軸方向視にて、円形状とされた円盤状に形成されている。このカムフォロア８２は、加熱ロール６８の外径及び加圧ロール６９の外径よりも小さい外径を有している。なお、図４及び図５では、一対のカムフォロア８２のうち、一方のカムフォロア８２のみを図示している。
【００８７】
一方、カム８４は、図４及び図５に示されるように、加圧ロール６９に設けられている。具体的には、カム８４は、加圧ロール６９の軸部６９Ａの両端部に設けられている。さらに具体的には、図５に示されるように、カム８４は、加圧ロール６９の軸部６９Ａにおけるスプロケット１９と第二フレーム７２との間に固定されている。なお、図４及び図５では、一対のカム８４のうち、一方のカム８４のみを図示している。
【００８８】
カム８４は、加圧ロール６９の凹部６９Ｄに対して、加圧ロール６９の回転方向下流側に配置されている。すなわち、カム８４は、加圧ロール６９の凹部６９Ｄに対して、加圧ロール６９における予め定められた回転角度分、加圧ロール６９の回転方向下流側にずれている。このずれ量は、カムフォロア８２の加熱ロール６８に対するずれ量に対応している。
【００８９】
カム８４は、加圧ロール６９と一体に回転し、カムフォロア８２に対向する位置（図４における左斜め上側の位置）において、カムフォロア８２と接触する。カム８４は、図１３に示されるように、加圧ロール６９の回転軸６９Ｐからの距離が異なるカム面８４Ｘを有している。
【００９０】
カム面８４Ｘは、部分８４Ｂにおいて、加圧ロール６９の回転軸６９Ｐからの距離が最長とされている。すなわち、カム面８４Ｘは、部分８４Ｂにおいて、加圧ロール６９の径方向外側に最も張り出している。
【００９１】
また、部分８４Ｂから部分８４Ａに向かって、加圧ロール６９の回転軸６９Ｐからの距離が徐々に短くなる。なお、部分８４Ａは、部分８４Ｂに対する加圧ロール６９の回転方向下流側に配置された部分である。さらに、部分８４Ｂから部分８４Ｃに向かって、加圧ロール６９の回転軸６９Ｐからの距離が徐々に短くなる。なお、部分８４Ｃは、部分８４Ｂに対する加圧ロール６９の回転方向上流側に配置された部分である。部分８４Ｂから部分８４Ｃまでの加圧ロール６９の周方向に沿った長さは、部分８４Ｂから部分８４Ａまでの加圧ロール６９の周方向に沿った長さよりも短い。したがって、カム面８４Ｘの部分８４Ｂから部分８４Ｃまでの傾きの平均は、カム面８４Ｘの部分８４Ｂから部分８４Ａまで傾きの平均よりも小さい。部分８４Ｃから部分８４Ｄまでの間は、加圧ロール６９の回転軸６９Ｐからの距離は一定である。なお、部分８４Ｄは、部分８４Ｃに対する加圧ロール６９の回転方向上流側に配置された部分である。
【００９２】
そして、カム８４は、加圧ロール６９の回転に伴って、カム面８４Ｘがカムフォロア８２に接触し、加熱ロール６８をニップ位置と退避位置との間を移動させる。具体的には、加熱ロール６８は、カムフォロア８２に対するカム８４の接触位置が変化することにより、以下のように動作する。
【００９３】
加熱ロール６８は、加圧ロール６９の凹部６９Ｄが定着ニップ領域６１に進入する前に、ニップ位置から退避位置への移動を開始する（以下、この時点を開始点Ａ１という）。なお、図９は、開始点Ａ１における加熱ロール６８と加圧ロール６９との位置関係を示している。また、開始点Ａ１において、カム８４は、図１３における部分８４Ａでカムフォロア８２に接触する。
【００９４】
当該開始点において、図９に示されるように、グリッパ５４も定着ニップ領域６１に進入する前の状態にある。したがって、加熱ロール６８は、グリッパ５４が定着ニップ領域６１に進入する前に、加熱ロール６８は、ニップ位置から退避位置への移動を開始するともいえる。
【００９５】
さらに、凹部６９Ｄが定着ニップ領域６１への進入を開始する際に、加熱ロール６８は、退避位置に位置する（図１０参照）。すなわち、凹部６９Ｄの前端エッジ６９Ｆが定着ニップ領域６１への進入を開始する際に、加熱ロール６８は、退避位置に位置する。
【００９６】
なお、図１０は、凹部６９Ｄが定着ニップ領域６１への進入を開始する時点（以下、進入時点Ｂ１という）における加熱ロール６８と加圧ロール６９との位置関係を示している。また、進入時点Ｂ１において、カム８４は、図１３における部分８４Ｂでカムフォロア８２に接触する。なお、加熱ロール６８が加圧ロール６９に対して非接触である状態における定着ニップ領域６１とは、加熱ロール６８が加圧ロール６９に接触した場合に定着ニップ領域６１が形成される場所又は範囲を意味している。
【００９７】
グリッパ５４は、凹部６９Ｄに遅れて定着ニップ領域６１に進入するため、当該進入時点Ｂ１において、グリッパ５４は、図１０に示されるように、定着ニップ領域６１に進入する前の状態にある。
【００９８】
さらに、図１１に示されるように、凹部６９Ｄが定着ニップ領域６１に進入した後に、加熱ロール６８は、ニップ位置へ移動する（以下、この時点を終了点Ｃ１という）。具体的には、加熱ロール６８は、凹部６９Ｄが定着ニップ領域６１から退出する前に、ニップ位置へ移動する。さらに具体的には、加熱ロール６８は、凹部６９Ｄの前端エッジ６９Ｆが定着ニップ領域６１を退出した後であって、後端エッジ６９Ｒが定着ニップ領域６１に進入する前に、ニップ位置へ移動する。
【００９９】
また、加熱ロール６８は、図１１に示されるように、グリッパ５４が定着ニップ領域６１に進入した後に、ニップ位置へ移動するともいえる。具体的には、加熱ロール６８は、グリッパ５４が定着ニップ領域６１から退出する前に、ニップ位置へ移動する。
【０１００】
このニップ位置では、加熱ロール６８は、凹部６９Ｄに収容されたグリッパ５４に対して非接触である。すなわち、加熱ロール６８は、定着ニップ領域６１に位置するグリッパ５４に対して非接触であるニップ位置へ移動する。
【０１０１】
なお、図１１は、終了点Ｃ１における加熱ロール６８と加圧ロール６９との位置関係を示している。また、終了点Ｃ１において、カム８４は、図１３における部分８４Ｃでカムフォロア８２に接触する。
【０１０２】
さらに、加熱ロール６８は、ニップ位置に位置した状態を維持する。したがって、凹部６９Ｄの後端エッジ６９Ｒが、定着ニップ領域６１に進入する際、及び定着ニップ領域６１から退出する際において、加熱ロール６８は、ニップ位置に位置している。
【０１０３】
また、グリッパ５４が定着ニップ領域６１から退出する際において、加熱ロール６８は、ニップ位置に位置しているともいえる。
【０１０４】
なお、図１２は、凹部６９Ｄの後端エッジ６９Ｒが定着ニップ領域６１から退出する時点（以下、退出時点Ｄ１という）における加熱ロール６８と加圧ロール６９との位置関係を示している。また、退出時点Ｄ１において、カム８４は、図１３における部分８４Ｄでカムフォロア８２に接触する。
【０１０５】
図１４には、時間経過と、加熱ロール６８と加圧ロール６９との位置関係（具体的には、軸間距離）と、の関係が示されている。なお、図１４では、時間経過が横軸に、加熱ロール６８と加圧ロール６９との位置関係が縦軸に示されている。図１４における「Ｒ１」、「Ｒ２」、「ｘ」及び「ｙ」は、それぞれ、「加熱ロール６８の半径」、「加圧ロール６９の半径」、「退避距離」及び「加熱ロール６８の弾性層の圧縮量」を示している。また、図１４における矢印Ａ１及び矢印Ｃ１は、それぞれ、開始点Ａ１及び終了点Ｃ１を示している。また、図１４における矢印Ｂ１及び矢印Ｄ１は、それぞれ、進入時点Ｂ１及び退出時点Ｄ１を示している。なお、図１４の横軸を、加圧ロール６９の回転角度の変化と捉えてもよい。
【０１０６】
加熱ロール６８が図９〜図１２に示されるように移動することで、開始点Ａ１から終了点Ｃ１までの期間１００の中央点１００Ａが、図１４に示されるように、凹部６９Ｄが定着ニップ領域６１を通過する期間２００の中央点２００Ａに対して先行する。
【０１０７】
換言すれば、本実施形態では、開始点Ａ１から終了点Ｃ１までの期間１００の中央点１００Ａが、凹部６９Ｄが定着ニップ領域６１を通過する期間２００の中央点２００Ａに対して先行するように、加熱ロール６８は移動する。
【０１０８】
さらに、本実施形態では、開始点Ａ１から終了点Ｃ１までの期間１００の中央点１００Ａが、グリッパ５４が定着ニップ領域６１を通過する期間３００の中央点３００Ａに対して先行するように、加熱ロール６８は移動する。
【０１０９】
さらに、加熱ロール６８は、単位時間あたりのニップ位置から退避位置への相対移動量よりも、単位時間あたりの退避位置からニップ位置への相対移動量が小さい。すなわち、図１４において、矢印Ａ１から矢印Ｂ１までの線ＬＡの傾きよりも、矢印Ｂ１から矢印Ｃ１までの線ＬＢの傾きが小さい。
【０１１０】
（本実施形態に係る作用）
本実施形態では、前述のように、開始点Ａ１から終了点Ｃ１までの期間の中央点１００Ａが、凹部６９Ｄが定着ニップ領域６１を通過する期間の中央点２００Ａに対して先行するように、加熱ロール６８は移動する。
【０１１１】
ここで、開始点Ａ１から終了点Ｃ１までの期間の中央点１００Ａが、凹部６９Ｄが定着ニップ領域６１を通過する期間の中央点２００Ａと一致する構成（第一比較例）では、例えば、凹部６９Ｄの後端エッジ６９Ｒが定着ニップ領域６１を退出した後に加熱ロール６８がニップ位置に移動するため、加圧ロール６９と加熱ロール６８とで記録媒体Ｐを挟むタイミングが遅くなる。
【０１１２】
これに対して、本実施形態では、中央点１００Ａが中央点２００Ａに対して先行するように、加熱ロール６８は移動するので、例えば、凹部６９Ｄの後端エッジ６９Ｒが定着ニップ領域６１を退出する前に加熱ロール６８がニップ位置に移動するため、第一比較例に比べ、加圧ロール６９と加熱ロール６８とで記録媒体Ｐを挟むタイミングが早くなる。この結果、第一比較例に比べ、記録媒体Ｐの前端側からトナー像が定着されるため、トナー像を記録媒体Ｐに定着可能な範囲が広くなる。換言すれば、第一比較例に比べ、トナー像を記録媒体Ｐに形成可能な範囲が広くなる。
【０１１３】
また、本実施形態では、開始点Ａ１から終了点Ｃ１までの期間の中央点１００Ａが、グリッパ５４が定着ニップ領域６１を通過する期間の中央点３００Ａに対して先行するように、加熱ロール６８は移動する。
【０１１４】
ここで、開始点Ａ１から終了点Ｃ１までの期間の中央点１００Ａが、グリッパ５４が定着ニップ領域６１を通過する期間の中央点３００Ａと一致する図１５に示される構成（第二比較例）では、例えば、凹部６９Ｄの後端エッジ６９Ｒが定着ニップ領域６１を退出した後に加熱ロール６８がニップ位置に移動するため、加圧ロール６９と加熱ロール６８とで記録媒体Ｐを挟むタイミングが遅くなる。
【０１１５】
これに対して、本実施形態では、中央点１００Ａが中央点３００Ａに対して先行するように、加熱ロール６８は移動するので、例えば、凹部６９Ｄの後端エッジ６９Ｒが定着ニップ領域６１を退出する前に加熱ロール６８がニップ位置に移動するため、第二比較例に比べ、加圧ロール６９と加熱ロール６８とで記録媒体Ｐを挟むタイミングが早くなる。
【０１１６】
また、本実施形態では、凹部６９Ｄの後端エッジ６９Ｒが定着ニップ領域６１を退出する前に加熱ロール６８がニップ位置に移動するため、凹部６９Ｄの後端エッジ６９Ｒが定着ニップ領域６１を退出した後に加熱ロール６８がニップ位置に移動する構成に比べ、加圧ロール６９と加熱ロール６８とで記録媒体Ｐを挟む範囲が広くなる。
【０１１７】
また、本実施形態では、加熱ロール６８は、グリッパ５４が定着ニップ領域６１から退出する前に、ニップ位置へ移動するため、グリッパ５４が定着ニップ領域６１を退出した後に加熱ロール６８がニップ位置に移動する構成に比べ、加圧ロール６９と加熱ロール６８とで記録媒体Ｐを挟む範囲が広くなる。
【０１１８】
また、本実施形態では、加熱ロール６８は、定着ニップ領域６１に位置するグリッパ５４に対して非接触であるニップ位置へ移動する。このため、加熱ロール６８が、ニップ位置において、定着ニップ領域６１に位置するグリッパ５４と接触する構成に比べ、加熱ロール６８とグリッパ５４との干渉が抑制される。
【０１１９】
また、本実施形態では、加熱ロール６８が、定着ニップ領域６１に対する搬送方向の上流側を支点に移動可能とされ、且つ、カムフォロア８２は、定着ニップ領域６１に対する搬送方向の下流側に設けられている。
【０１２０】
このため、支点とカムフォロア８２とが定着ニップ領域６１に対する搬送方向の一方側に配置された構成に比べ、支点と力点が離れるため、小さい荷重で加熱ロール６８が移動される。さらに、カムフォロア８２が定着ニップ領域６１に対する搬送方向の上流側に設けられている構成に比べ、カムフォロア８２が、定着ニップ領域６１に対する搬送方向の上流側に配置された部材と干渉することが抑制される。
【０１２１】
また、本実施形態では、加熱ロール６８は、単位時間あたりのニップ位置から退避位置への相対移動量よりも、単位時間あたりの退避位置からニップ位置への相対移動量が小さい。
【０１２２】
これにより、加熱ロール６８の単位時間当たりのニップ位置から退避位置への相対移動量よりも、加熱ロール６８の単位時間当たりの退避位置からニップ位置への相対移動量が大きい構成に比べ、加熱ロール６８を加圧ロール６９から素早く離間させ、加熱ロール６８を加圧ロール６９へゆっくり接近させられる。この結果、加熱ロール６８と加圧ロール６９との接触による振動が抑制される。
【０１２３】
（加熱ロール６８の動作の変形例）
前述の実施形態では、図１１に示されるように、凹部６９Ｄが定着ニップ領域６１に進入した後に、加熱ロール６８は、ニップ位置へ移動していたが、これに限られない。
【０１２４】
例えば、図１５に示されるように、グリッパ５４による記録媒体Ｐの保持位置５４Ｐが、定着ニップ領域６１に進入した後に、加熱ロール６８が、ニップ位置へ移動する構成であってもよい。この構成では、さらに加熱ロール６８は、当該保持位置５４Ｐが定着ニップ領域６１から退出する前に、ニップ位置へ移動する。
【０１２５】
なお、本構成では、加熱ロール６８が、ニップ位置へ移動する時点Ｅ１は、図１４に示されるように、前述の終了点Ｃ１よりも遅延する。
【０１２６】
さらに、図１４に示されるように、開始点Ａ１から時点Ｅ１までの期間５００の中央点５００Ａが、グリッパ５４による記録媒体Ｐの保持位置５４Ｐが定着ニップ領域６１を通過する期間４００の中央点４００Ａに対して先行する。
【０１２７】
換言すれば、本実施形態では、開始点Ａ１から時点Ｅ１までの期間５００の中央点５００Ａが、グリッパ５４による記録媒体Ｐの保持位置５４Ｐが定着ニップ領域６１を通過する期間４００の中央点４００Ａに対して先行するように、加熱ロール６８は移動する。
【０１２８】
このように、本変形例では、中央点５００Ａが中央点４００Ａに対して先行するように、加熱ロール６８は移動するので、例えば、中央点５００Ａと中央点４００Ａとが一致する構成（第三比較例）に比べ、加圧ロール６９と加熱ロール６８とで記録媒体Ｐを挟むタイミングが早くなる。この結果、第三比較例に比べ、記録媒体Ｐの前端側からトナー像が定着されるため、トナー像を記録媒体Ｐに定着可能な範囲が広くなる。換言すれば、第三比較例に比べ、トナー像を記録媒体Ｐに形成可能な範囲が広くなる。
【０１２９】
（他の変形例）
本実施形態では、加熱ロール６８が移動する構成であったが、加圧ロール６９が移動する構成であってもよい。すなわち、加熱ロール６８が加圧ロール６９に対して相対移動する構成であればよい。
【０１３０】
また、本実施形態では、回転軸７５が、図４に示されるように、定着ニップ領域６１に対する搬送方向上流側に配置されていたが、これに限られない。例えば、回転軸７５が定着ニップ領域６１に対する搬送方向下流側に配置されている構成であってもよい。この場合では、カムフォロア８２は、例えば、定着ニップ領域６１に対する搬送方向上流側に配置される。
【０１３１】
また、本実施形態では、グリッパ５４は、記録媒体Ｐの前端部を保持していたが、これに限られない。例えば、グリッパ５４は、記録媒体Ｐの側端側から記録媒体Ｐの前端側を保持する構成であってもよい。なお、記録媒体の前端側とは、記録媒体における搬送方向の中央より下流側（前側）の部分である。
【０１３２】
また、本実施形態では、搬送装置の一例として、記録媒体Ｐを搬送する搬送機能と、画像を記録媒体Ｐに定着する定着機能を有する定着装置を用いたが、これに限られない。搬送装置の一例としては、搬送機能のみを有する装置であってもよいし、定着機能以外の機能と搬送機能とを有する装置であってもよい。
【０１３３】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１３４】
１０   画像形成装置
１４   画像形成部
１５   搬送部
１６   定着装置
２７   二次転写体（転写部の一例）
５４   グリッパ（保持部の一例）
５４Ｐ 保持位置
６８   加熱ロール（第二挟み部の一例）
６９   加圧ロール（第一挟み部の一例）
６９Ｄ 凹部
８０   移動機構
８２   カムフォロア
８４   カム
【図１】
2020148962.tif 000003
【図２】
2020148962.tif 000004
【図３】
2020148962.tif 000005
【図４】
2020148962.tif 000006
【図５】
2020148962.tif 000007
【図６】
2020148962.tif 000008
【図７】
2020148962.tif 000009
【図８】
2020148962.tif 000010
【図９】
2020148962.tif 000011
【図１０】
2020148962.tif 000012
【図１１】
2020148962.tif 000013
【図１２】
2020148962.tif 000014
【図１３】
2020148962.tif 000015
【図１４】
2020148962.tif 000016
【図１５】
2020148962.tif 000017